(57)【特許請求の範囲】
【請求項１】
側面に照らされる光を伝達するための導光板と、前記導光板の上部に配置されて光を透過させるバックライト照明用ライティングパネルとを備えている載物台と、
前記載物台の一側面に摺動及び回動可能に結合される可動アームと、
前記可動アームの一端に結合され、前記可動アームの移動に連動して第１の位置で前記バックライト用ライティングパネルの上部側に直接光を照射し、前記可動アームの移動に連動して第２の位置で前記導光板を通してバックライト用ライティングパネルの下部側に光を照射する照明用灯具と、
前記載物台の一側面に形成され、前記可動アームの基部を載物台に対して摺動及び回動可能に支持し、前記照明用灯具の位置を第１及び第２の位置に移動させる案内手段とを含み、
前記照明用灯具は、前記案内手段によって第２の位置に移動して前記載物台の他側面に収納されることを特徴とする撮影用載物台。
【請求項２】
前記載物台には、照明用灯具が第２の位置に位置した場合、前記照明用灯具が遊動せぬように拘束する施錠手段が備えられ、前記施錠手段を解除することにより、前記照明用灯具を可動アームの摺動および回動により前記第１の位置に設定可能とすることを特徴とする請求項１に記載の撮影用載物台。
【請求項３】
前記照明用灯具は、ランプと、前記ランプから提供される光の強さ、光の点灯および消灯を制御する調光手段とを含むことを特徴とする請求項１に記載の撮影用載物台。
【請求項４】
側面に照らされる光を伝達するための導光板と、前記導光板の上部に配置されて光を透過させるバックライト照明用ライティングパネルとを備えている載物台と、
前記載物台の一側面に摺動及び回動可能に結合される可動アームと、
前記可動アームの一端に結合され、前記可動アームの移動に連動して第１の位置で前記バックライト用ライティングパネルの上部側に直接光を照射し、前記可動アームの移動に連動して第２の位置で前記導光板を通してバックライト用ライティングパネルの下部側に光を照射する照明用灯具と、
前記載物台の一側面に形成され、前記可動アームの基部を載物台に対して摺動及び回動可能に支持し、前記照明用灯具の位置を第１及び第２の位置に移動させる案内手段と、
前記載物台の上に置かれた被写体を撮影する撮影手段とを含み、
前記照明用灯具は、前記案内手段によって第２の位置に移動して前記載物台の他側面に収納されることを特徴とするビデオプレゼンター。
【発明の詳細な説明】
【０００１】
【発明の属する技術分野】
本発明は、撮影用載物台およびビデオプレゼンターに関し、特に、所望の原稿や物体等の被写体の撮影に多様な照明を必要とする分野に適用して有効な技術に関する。
【０００２】
【従来の技術】
たとえば、ビデオプレゼンテーション等の分野では、被写体の種別やプレゼンテーション効果の種別等に応じて多様な照明が必要とされる場合がある。
【０００３】
従来、このような多様な照明を実現するものとして、バックライト照明およびフロントライト照明のいずれか、または双方の手段を備えた撮影装置が知られている。しかしながら、このような撮影用載物台において、バックライト照明およびフロントライト照明の双方を備えたものは、それぞれ別個の光源（灯具）により、各照明を実現している。
【０００４】
【発明が解決しようとする課題】
前述のようにバックライト照明およびフロントライト照明を併用する撮影用載物台の場合、各照明毎に光源が別個であるため構造が複雑で高価となる、という技術的課題がある。さらに各照明毎に光源が異なるため、カメラ等の撮影装置側における色温度補正やホワイトバランス等を、照明の種別を切り換える都度設定し直す必要があり操作が煩雑となる、という技術的課題もある。また、フロントライト照明用の光源（灯具）はバックライト照明による撮影時には全く無用となり、この収納にも特別な機構を必要とする。また、このような特別な機構は、載物台本体から突起した状態となるため、設置スペースを必要以上に増大させるとともに、保管収納等における破損の懸念から取扱に特別な注意が必要となる。
【０００５】
本発明の目的は、簡単な操作により、フロントライト照明またはバックライト照明等の多様な照明を任意に選択して実行することが可能な撮影用載物台およびビデオプレゼンターを提供することにある。
【０００６】
本発明の他の目的は、フロントライト照明およびバックライト照明等の多様な照明を、小型・軽量・且つ安価に実現することが可能な撮影用載物台およびビデオプレゼンターを提供することにある。
【０００７】
本発明の他の目的は、フロントライト照明およびバックライト照明等の多様な照明を切り換えて撮影を行うに際して、その都度、撮影機器の色温度補正やホワイトバランス等の再設定を必要とすることなく、操作性に優れた撮影用載物台およびビデオプレゼンターを提供することにある。
【０００８】
本発明の他の目的は、全体を突出部のない平坦な箱状とすることができ、移動やセッティング等の取扱が容易で、かつ、専有スペースが少なく、保管、輸送等に関しても、特別な注意を必要としない撮影用載物台およびビデオプレゼンターを提供することにある。
【０００９】
【課題を解決するための手段】
本発明の撮影用載物台は、側面に照らされる光を伝達するための導光板と、前記導光板の上部に配置されて光を透過させるバックライト照明用ライティングパネルとを備えている載物台と、前記載物台の一側面に摺動及び回動可能に結合される可動アームと、前記可動アームの一端に結合され、前記可動アームの移動に連動して第１の位置で前記バックライト用ライティングパネルの上部側に直接光を照射し、前記可動アームの移動に連動して第２の位置で前記導光板を通してバックライト用ライティングパネルの下部側に光を照射する照明用灯具と、前記載物台の一側面に形成され、前記可動アームの基部を載物台に対して摺動及び回動可能に支持し、前記照明用灯具の位置を第１及び第２の位置に移動させる案内手段とを含み、前記照明用灯具は、前記案内手段によって第２の位置に移動して前記載物台の他側面に収納されることを特徴とする。本発明における前記載物台には、照明用灯具が第２の位置に位置した場合、前記照明用灯具が遊動せぬように拘束する施錠手段が備えられ、前記施錠手段を解除することにより、前記照明用灯具を可動アームの摺動および回動により前記第１の位置に設定可能とすることを特徴とする。さらに、本発明における前記照明用灯具は、ランプと、前記ランプから提供される光の強さ、光の点灯および消灯を制御する調光手段とを含むことを特徴とする。
【００１０】
本発明のビデオプレゼンターは、側面に照らされる光を伝達するための導光板と、前記導光板の上部に配置されて光を透過させるバックライト照明用ライティングパネルとを備えている載物台と、前記載物台の一側面に摺動及び回動可能に結合される可動アームと、前記可動アームの一端に結合され、前記可動アームの移動に連動して第１の位置で前記バックライト用ライティングパネルの上部側に直接光を照射し、前記可動アームの移動に連動して第２の位置で前記導光板を通してバックライト用ライティングパネルの下部側に光を照射する照明用灯具と、前記載物台の一側面に形成され、前記可動アームの基部を載物台に対して摺動及び回動可能に支持し、前記照明用灯具の位置を第１及び第２の位置に移動させる案内手段と、前記載物台の上に置かれた被写体を撮影する撮影手段とを含み、前記照明用灯具は、前記案内手段によって第２の位置に移動して前記載物台の他側面に収納されることを特徴とする。
【００１１】
【発明の実施の形態】
以下、本発明の実施の形態を図面を参照しながら詳細に説明する。
【００１２】
（実施の形態１）
図１は、本発明の一実施の形態である撮影用載物台の構成の一例を示す斜視図であり、図２は、その一部を上方より見た横断面図、図３は、その一部を側方より見た縦断面図、図４は、その長手軸方向の中央部の縦断面図、図５は、その一部を側方より見た縦断面図、図６は、幅方向中央部の縦断面図である。
【００１３】
本実施の形態の撮影用載物台は、載物台Ｂと、照明用灯具Ｌと、後述のようにして、この照明用灯具Ｌの姿勢を制御する可動アームＡ１からなる。本実施の形態の場合、照明用灯具Ｌおよび可動アームＡ１からなる構成が、載物台Ｂにペアで配置されているが、双方が互いに等価な構成を有するので、以下の説明では一方の構成について説明する。
【００１４】
３は合成樹脂等によって成形されたエンクロージャで、上面開口部に材質または形状によって光を拡散・均等化するように形成された拡散板１を嵌着し、その下方に、透明な材質により形成され印刷等の手段により側端面から入射した光によって上方に向かう均等な反射光を生成するように加工された導光板２を螺着等の手段により装着してバックライト照明用ライティングパネルＰを構成すると共に、下面開口部に金属板等より成るボトムプレート４を螺着等の手段により挿嵌固定し、照明制御手段・配線等（図示せず）を内装または外装して載物台Ｂを構成する。
【００１５】
また、前記ボトムプレート４には、金属板等より成るガイドレール５およびリニアカム６，７が溶接または螺着等の手段により繋着されている。なお、リニアカム７は、図１における手前側の照明用灯具Ｌおよび可動アームＡ１の組に対応するものであり、図２〜図６では図示されておらず符号のみを示す。
【００１６】
８は金属板等より成るスイングアームであり、一方の端部に近接してピボットスリーブ１８を内嵌する抜孔およびカシメ等の手段により植設された一対のガイドピン９を有すると共に、他端は溶接等の手段により金属板等より成るランプフレーム１０と一体的に接合されている。
【００１７】
前記スイングアーム８には合成樹脂成形品等より成るアームカバー１４が複数のねじ１４ａ等を介して一体的に係合されて、可動アームＡ１を形成している。
【００１８】
また、前記ランプフレーム１０は、溶接等により一体的に接合された金属板等より成るランプホルダ１１を有し、蛍光放電灯等のランプ１２を、その両端部近傍を挟持することによって保持すると共に、先端部には合成樹脂成形品等より成るランプカバー１６の両端部内面に窄設された溝部に接着・高周波溶着等の手段により一体的に内挿係着された金属板等より成るフック１７の一方の端部１７ａと係合し、前記ランプカバー１６を着脱可能に係着することによってリフレクタ１３を内挿挟持して照明用灯具Ｌを形成するための舌部を有する。
【００１９】
前記フック１７の他方の端部１７ｂは略Ｌ字形に成型され、前記アームカバー１４に螺着された可撓性を有する材料より成るラッチ１５の係合爪１５ａと係合することにより前記アームカバー１４を係着すると共に、前記ラッチ１５を押圧撓動させて前記フック１７との係合を解除することにより前記アームカバー１４の取り外しを可能とする。
【００２０】
前記可動アームＡ１と照明用灯具Ｌとは前述のごとく一体的に構成されるが、これを前記載物台Ｂに係着するには、前記スイングアーム８の抜孔に軸方向にバネ性を有するウエーブワッシャ１９を外嵌したピボットスリーブ１８を貫通し、ワッシャ２０を外嵌したのち前記ガイドレール５に窄設されたガイドスリット５ａを貫通し、さらにワッシャ２０を外嵌してからピボットナット２５によって螺着される。このときスプリング２１およびカムレバー２２も前記ピボットナット２５に外嵌して回動可能に係着される。
【００２１】
ここで、ガイドレール５に窄設されたガイドスリット５ａは、水平方向に長手軸を有する長穴形状を呈するとともに、載物台Ｂの外端部側の端部には、上縁に一対のガイドピン９が入り込む切欠き５ｂを備えている。
【００２２】
ピボットスリーブ１８は、スイングアーム８の長手方向軸上に配置され、一対のガイドピン９は、当該ピボットスリーブ１８の近傍に、当該長手方向軸方向に対称に配置されており、ピボットスリーブ１８と一対のガイドピン９はガイドスリット５ａの内部を水平方向に摺動可能になっている。
【００２３】
前記カムレバー２２は金属板等より成り、ほぼ中央部に前記ピボットナット２５を内嵌する抜穴を有すると共に一方の端部近傍（被動端２２ａ）にカムフォロワ２３を回動可能に外嵌したフォロワピン２４がカシメ等の手段により植設されている。カムレバー２２の他方の端部（駆動端２２ｂ）には、後述のレリーズノブ２６のレリーズスリーブ２７の下部外縁に接しており、レリーズノブ２６の下方への押し下げ操作によって、駆動端２２ｂの反対側の被動端２２ａに設けられたカムフォロワ２３が、リニアカム６（７）の上面から浮き上がる方向に変位する。
【００２４】
前記スプリング２１はフックを有するねじりコイルバネで、フックの一方が前記カムレバー２２に係合すると共に他方のフックは前記ガイドピン９に係合して前記カムフォロワ２３を前記リニアカム６（７）の上端面に圧着し、その反力で前記スイングアーム８を起立する方向に付勢するように装着される。
【００２５】
リニアカム６（７）において、載物台Ｂの中央部側の端部には、ガイドスリット５ａの中央側端部におけるピボットスリーブ１８の位置に対応したカムフォロワ２３に対応して凹部６ａ（７ａ）が刻設されている。そして、当該凹部６ａ（７ａ）にカムフォロワ２３が陥頓することにより、ガイドスリット５ａの中央側端部の位置にピボットスリーブ１８（可動アームＡ１）を固定し水平方向の変位を阻止する施錠操作が行われる。
【００２６】
２７は金属等より成るレリーズスリーブであり、ワッシャ３２を外嵌すると共に前記ガイドレール５に窄設された長円形抜孔５ｃを貫通して、合成樹脂等より成るレリーズノブ２６に、前記ガイドレール５に対して上下方向に摺動可能な状態を保ちつつ螺着される。同様に、金属等より成るガイドスリーブ２８も、ワッシャ３２を外嵌し、前記ガイドレール５の長円形抜孔５ｃを貫通して前記レリーズノブ２６に螺着される。また、前記ガイドスリーブ２８はスプリング２９によって押上げられる方向に付勢され、前記レリーズノブ２６は常に摺動ストロークの上端に位置するように押圧保持される。
【００２７】
３０は透明合成樹脂板等より成るサイドカバーであって、前記エンクロージャ３の内面に形成された溝に内嵌し、前記ボトムプレート４との間に挟持されると共に前記ボトムプレート４に溶接または螺着された金属板等より成るカバーリテーナ３１により外力によって湾曲することがないように保持される。
【００２８】
なお、特に図示しないが、照明用灯具Ｌの内部のランプ１２の両端等に接続される給電ケーブルは、当該照明用灯具Ｌと可動アームＡ１の接続部を通じて、可動アームＡ１の内部を引き回され、さらに、ピボットスリーブ１８の内部を軸方向に挿通されて載物台Ｂの内部の、導光板２とボトムプレート４の間の空間に配置された図示しない照明電源および可変抵抗器等からなる調光機構およびスイッチ等に接続され、ランプ１２の点灯、消灯、さらには照明光の強さを随意に調節する調光操作等が行われる構成となっている。
【００２９】
以下、本実施の形態の撮影用載物台の作用の一例を説明する。
【００３０】
照明用灯具Ｌを格納した状態（図１の手前側の照明用灯具Ｌの状態）（第２の位置）では、ランプカバー１６の開口部がエンクロージャ３およびボトムプレート４とによって形成された側方の凸縁を内嵌し、且つ、カムレバー２２にフォロワピン２４により回動可能に係着され、スプリング２１により常にリニアカム６（７）の上端面に押しつけられているカムフォロワがリニアカム６（７）の上端面の凹部６ａ（７ａ）に陥頓して可動アームＡ１の水平方向摺動を阻止しているため、ランプカバー１６に手をかけて全体を持ち運ぶ等の取り扱いに対しても前記の嵌合が分離する等の支障を生じる懸念はない。
【００３１】
上記の状態でランプ１２を点灯すれば、光はリフレクタ１３によって反射されると共に前記の嵌合部によって外方への漏出を遮蔽されつつ透明なサイドカバー３０を経由して導光板２の端面からその内部に入射し、バックライト照明用ライティングパネルＰを発光させてバックライト照明による撮影が可能となる。
【００３２】
一方、フロントライト照明による撮影を行う場合は、レリーズノブ２６をスプリング２９の力に抗して押し下げる（操作Ｓ１）とレリーズノブ２６によってこれに臨んだカムレバー２２の駆動端２２ｂの先端部を下方に押圧排除するため、カムレバー２２は回動して、被動端２２ａの側のカムフォロワ２３はリニアカム６（７）の上端面の凹部６ａ（７ａ）からの陥頓状態が解かれると共に水平方向に、レリーズノブ２６が原位置に戻った場合も再びカムフォロワ２３が陥頓することがない位置まで移動し（操作Ｓ２）、可動アームＡ１もこれに伴って側外方水平方向に移動し、摺動可能となる。このレリーズ動作は、左右の可動アームＡ１に対して同時に行われるが、当然、片側のみが施錠されているとき、これを解除することも可能である。
【００３３】
可動アーム部をさらに側外方に移動させれば（操作Ｓ３）ランプカバー１６の開口部はエンクロージャ３およびボトムプレート４の凸縁部との嵌合から離脱し、一方、可動アームＡ１はスプリング２１により常に起立する方向に回動するよう付勢されているが、スイングアーム８に植設された一対のガイドピン９がガイドレール５に窄設されたガイドスリットに摺動可能とするための僅かの空隙を残して嵌入し、スイングアーム８の回動方向の遊動を妨げているため、移動終端に至るまで可動アームＡ１は水平状態のままに保たれる。
【００３４】
ガイドレール５に窄設されたガイドスリット５ａには、前述のように、可動アームＡ１の側外方移動の終端位置においてガイドピン９に臨む位置に切欠き５ｂが設けられ可動アームＡ１はこの位置でスプリング２１により回動起立し（操作Ｓ４）、切欠き５ｂの内縁によってガイドピン９の移動が阻止されることにより所定位置（本実施の形態の場合、水平方向からほぼ６０度だけ起立した図１の奥側の姿勢）に停止する（第１の位置）。上記の状態で照明用灯具Ｌのランプ１２を点灯すれば、ランプ１２から出た照明光は、載物台Ｂ上に載置された図示しない原稿や任意の物体等の被写体に載物台Ｂの上方から直接的に照射され、フロントライト照明による撮影が可能となる。
【００３５】
照明用灯具Ｌを格納する場合は、前述と逆の手順による。即ち、可動アームＡ１を回動して（操作Ｓ４の逆）水平に保ちつつ内方に摺動させ（操作Ｓ３の逆）、ランプカバー１６の開口部をエンクロージャ３およびボトムプレート４の凸縁部に嵌合させつつ行程終端まで移動すればカムフォロワ２３がガイドレール５の上縁の凹部６ａ（７ａ）に陥頓して可動アームＡ１は当該位置収納にて自動的に施錠される。
【００３６】
なお、図１に例示したように、載物台Ｂに複数の照明用灯具Ｌを対称に配置すれば、載物台Ｂ上の被写体に対する各種照明をより均一に行うことができる。また、必要に応じて、一方の照明用灯具Ｌにてフロントライト照明を行い、同時に他方の照明用灯具Ｌにてバックライト照明を行うようにしてもよいことは言うまでもない。
【００３７】
以上、説明したように、本実施の形態の撮影用載物台によれば、簡単な操作により、フロントライト照明またはバックライト照明の何れかを任意に選択して実行でき、簡便に多様な照明を実現することが可能になる。
【００３８】
また、共通の一つの照明用灯具Ｌにてフロントライト照明とバックライト照明を行うことができるので、フロントライト照明およびバックライト照明の各々について光源およびその電源部・制御手段等をそれぞれ別個に設ける必要がないため、小型・軽量・且つ安価である。
【００３９】
共通の照明用灯具Ｌを使用するため、フロントライト照明とバックライト照明の光源が同一となり、撮影に際してカメラ等の撮影機器の側での色温度補正やホワイトバランス等を光源切替の都度再設定する等の煩雑な操作の必要がなく、操作性が優れている。
【００４０】
照明用灯具Ｌは、収納（バックライト照明）時には載物台Ｂと一体化して当該載物台Ｂの上面に残存せず、全体が突出部のない平坦な箱状となるため、移動やセッティング等の取扱が容易であり、また、保管・輸送等に関しても、照明用灯具Ｌの損傷等に特に注意を必要としない等の利点を有する。
【００４１】
（実施の形態２）
図７は、本発明の一実施の形態であるビデオプレゼンターの一例を示す斜視図である。本実施の形態のビデオプレゼンターは、前述の実施の形態に例示した撮影用載物台に、支持アーム５０を介して、たとえばビデオカメラ等からなる撮影装置５１を装着した構成となっている。なお、特に図示しないが、撮影装置５１には、必要に応じて、たとえば撮影画像を所望のスクリーン等に拡大投影するプロジェクション光学機器が接続されている。
【００４２】
撮影用載物台は、前述のように載物台Ｂと、これに可動アームＡ１を介して装着される照明用灯具Ｌを備えた構成となっている。そして、フロントライト照明が必要な場合には、レリーズノブ２６を操作して、可動アームＡ１を前述のような手順で、載物台Ｂに対して起立させ、載物台Ｂの上方から、載物台Ｂの上の図示しない所望の被写体に対して照明用灯具Ｌから照明光を当てるフロントライト照明を行う。
【００４３】
また、バックライト照明が必要な場合には、載物台Ｂの側面部に照明用灯具Ｌを収納した状態でその内部のランプ１２を点灯させ、導光板２および拡散板１からなるバックライト照明用ライティングパネルＰを発光させて撮影装置５１による撮影を行う。
【００４４】
本実施の形態の場合には、共通の照明用灯具Ｌを、フロントライト照明およびバックライト照明に共通に用いるので、たとえば照明の種類を切り換える都度、ビデオカメラ等の撮影装置５１における色温度補正やホワイトバランス等を設定し直す等の煩雑な操作が不要となり、簡便な操作で、多様な照明の下での撮影装置５１による多様な撮影が可能になる。従って、ビデオプレゼンターの操作性および利便性が向上する。
【００４５】
以上本発明者によってなされた発明を実施の形態に基づき具体的に説明したが、本発明は前記実施の形態に限定されるものではなく、その要旨を逸脱しない範囲で種々変更可能であることはいうまでもない。
【００４６】
たとえば、本発明の撮影用載物台は、ビデオプレゼンター等に限らず、一般の撮影用に広く適用することができる。
【００４７】
【発明の効果】
本発明の撮影用載物台によれば、簡単な操作により、フロントライト照明またはバックライト照明等の多様な照明を任意に選択して実行することができる、という効果が得られる。
【００４８】
また、本発明の撮影用載物台によれば、フロントライト照明およびバックライト照明等の多様な照明を、小型・軽量・且つ安価に実現することができる、という効果が得られる。
【００４９】
また、本発明の撮影用載物台によれば、フロントライト照明およびバックライト照明等の多様な照明を切り換えて撮影を行うに際して、その都度、撮影機器の色温度補正やホワイトバランス等の再設定を必要とすることなく、優れた操作性を実現できる、という効果が得られる。
【００５０】
また、本発明の撮影用載物台によれば、全体が突出部のない平坦な箱状とすることができ、移動やセッティング等の取扱が容易で、かつ、専有スペースが少なく、保管、輸送等に関しても、特別な注意を必要としない優れた撮影用載物台を提供することができる、という効果が得られる。
【００５１】
本発明のビデオプレゼンターによれば、簡単な操作により、フロントライト照明またはバックライト照明等の多様な照明を任意に選択して実行することができる、という効果が得られる。
【００５２】
また、本発明のビデオプレゼンターによれば、フロントライト照明およびバックライト照明等の多様な照明を、小型・軽量・且つ安価に実現することができる、という効果が得られる。
【００５３】
また、本発明のビデオプレゼンターによれば、フロントライト照明およびバックライト照明等の多様な照明を切り換えて撮影を行うに際して、その都度、撮影機器の色温度補正やホワイトバランス等の再設定を必要とすることなく、優れた操作性を実現できる、という効果が得られる。
【００５４】
また、本発明のビデオプレゼンターによれば、全体を突出部のない平坦な箱状とすることができ、移動やセッティング等の取扱が容易で、かつ、専有スペースが少なく、保管、輸送等に関しても、特別な注意を必要としない優れた撮影用載物台を提供することができる、という効果が得られる。
【図面の簡単な説明】
【図１】本発明の一実施の形態である撮影用載物台の構成の一例を示す斜視図である。
【図２】本発明の一実施の形態である撮影用載物台の一部を上方より見た横断面図である。
【図３】本発明の一実施の形態である撮影用載物台の一部を側方より見た縦断面図である。
【図４】本発明の一実施の形態である撮影用載物台の長手軸方向の中央部の縦断面図である。
【図５】本発明の一実施の形態である撮影用載物台の一部を側方より見た縦断面図である。
【図６】本発明の一実施の形態である撮影用載物台の幅方向中央部の縦断面図である。
【図７】本発明の一実施の形態であるビデオプレゼンターの一例を示す斜視図である。
【符号の説明】
１  拡散板
２  導光板
３  エンクロージャ
４  ボトムプレート
５  ガイドレール（案内手段）
５ａ  ガイドスリット
５ｂ  切欠き
５ｃ  長円形抜孔
６  リニアカム（施錠手段）
６ａ  凹部
７  リニアカム（施錠手段）
７ａ  凹部
８  スイングアーム
９  ガイドピン
１０  ランプフレーム
１１  ランプホルダ
１２  ランプ（光源）
１３  リフレクタ
１４  アームカバー
１４ａ  ねじ
１５  ラッチ
１５ａ  係合爪
１６  ランプカバー
１７  フック
１７ａ  端部
１７ｂ  端部
１８  ピボットスリーブ
１９  ウエーブワッシャ
２０  ワッシャ
２１  スプリング
２２  カムレバー
２２ａ  被動端
２２ｂ  駆動端
２３  カムフォロワ（施錠手段）
２４  フォロワピン
２５  ピボットナット
２６  レリーズノブ（施錠手段）
２７  レリーズスリーブ
２８  ガイドスリーブ
２９  スプリング
３０  サイドカバー
３１  カバーリテーナ
３２  ワッシャ
５０  支持アーム
５１  撮影装置
Ａ１  可動アーム
Ｂ  載物台
Ｌ  照明用灯具
Ｐ  バックライト照明用ライティングパネル
【図１】
0003850093.tif 000002
【図２】
0003850093.tif 000003
【図３】
0003850093.tif 000004
【図４】
0003850093.tif 000005
【図５】
0003850093.tif 000006
【図６】
0003850093.tif 000007
【図７】
0003850093.tif 000008